(57)【特許請求の範囲】
【請求項１】
給水管と、該給水管から分岐して設けられた可撓管と、該可撓管の一端に接続されたスプリンクラヘッドとを備えた防災設備において、前記給水管と可撓管との間に複数の接続口を有するヘッダを設け、該ヘッダに信号線が接続される端子部を設けて前記給水管又は可撓管に沿って信号線を配設したことを特徴とする防災設備。
【請求項２】
給水管に信号線を沿わせて配設し、該信号線の一端を火災受信機に接続し他端をヘッダの端子部に接続したことを特徴とする請求項１記載の防災設備。
【発明の詳細な説明】
【０００１】
【発明の属する技術分野】
本発明は、防災設備に係り、さらに詳しくは、天井裏に設置された給水管とスプリンクラヘッドとを直接又はヘッダを介して可撓管で接続すると共に、可撓管に火災感知器用の信号線を沿わせて配設した防災設備に関すものである。
【０００２】
【従来の技術】
周知のように、ビル、デパート、病院などには、火災感知器を含む火災報知設備と、火災発生時にこれを検知して散水し、初期消火を行うスプリンクラヘッドを含むスプリンクラ設備とからなる防災設備が設けられており、各階の天井裏には、火災報知設備のための電気配線、及びスプリンクラ設備のための配管が張り回らされている。そして、天井板には、複数個のスプリンクラヘッドに対して概ね１個の割合いで火災感知器が取付けられ、その一部を室内側に露出している。
【０００３】
【発明が解決しようとする課題】
上記のような防災設備の施工にあたっては、スプリンクラ設備の配管工事と、火災報知設備の配線工事とはそれぞれ専門の業者により別々に行われるため、両工事の日程の調整などが面倒で、往々にして工事遅延を招くことがあった。
【０００４】
本発明は、上記の課題を解決するためになされたもので、配管工事と配線工事を同時に行うことのできる防災設備を得ることを目的としたものである。
【０００５】
【課題を解決するための手段】
（１）本発明は、給水管と、該給水管から分岐して設けられた可撓管と、該可撓管の一端に接続されたスプリンクラヘッドとを備えた防災設備において、前記給水管と可撓管との間に複数の接続口を有するヘッダを設け、該ヘッダに信号線が接続される端子部を設けて前記給水管又は可撓管に沿って信号線を配設した。
【０００６】
（２）上記（１）の給水管に信号線を沿わせて配設し、該信号線の一端を火災受信機に接続し他端をヘッダの端子部に接続した。
【００１０】
【発明の実施の形態】
図１は本発明の一実施形態の模式図、図２はその要部の斜視図である。図において、１は一端が例えば送水ポンプを介して貯水槽（共に図示せず）に接続された給水本管、２はこの給水本管１から分岐し、例えば流水検知装置（図示せず）を介して天井裏にほぼ水平に設置された給水管、３は給水管２にこれと直交してほぼ垂直又は水平に設けられた分岐管である。
【００１１】
５は分岐管３に継手４を介して接続されたヘッダで、図３に示すように、通水路７を有する円筒状の本体６からなり、通水路７の一端は閉塞されている。８ａ，８ｂは本体６の両側を平行に切除して形成した平坦部で、この平坦部８ａ，８ｂには、通水路７に連通し、外周におねじを有する複数の接続口９が設けられている。
１０はヘッダ５上に設けられた端子箱で、例えば、接続端子である複数のコネクタ１１を備えたプリント基板からなる端子部（図示せず）が収容されている。
【００１２】
図４はヘッダ５の他の例を示すもので、本例におけるヘッダ５は、図４の右側に示すように、少なくとも本体６の一方の端部にフランジ６ａを設けると共に、分岐管３にもフランジを設け、フランジによりヘッダ５を分岐管３に接続するようにしたものである。
また、図４の左側のヘッダ５のように、本体６の両端部にフランジ６ａ，６ｂを設けると共に、通水路７の両端部を開放し、このヘッダ５ａのフランジ６ａを分岐管３のフランジに接続し、他方のフランジ６ｂにヘッダ５のフランジ６ａを接合してヘッダ５ａ，５を連接し、接続口９の数を２倍にしたものである。
なお、ヘッダは上記構造に限定するものではなく、適宜構造のものを用いることができる。
【００１３】
再び図１、図２において、１５は給水本管１及び給水管２に沿って配設された電源線を兼ねた信号線（以下、信号線という）で、一端は直接又は中継器を介して火災受信機１６に接続されている。１７は信号線１５を給水本管１及び給水管２に固定する結束バンドであるが、他の固定手段を用いてもよい。
１５ａは一端が信号線１５に並列接続された分岐信号線で、他端は端子箱１０内に収容された端子部に接続されている。なお、信号線１５と分岐信号線１５ａとをコネクタで接続するようにすると作業性がよく、また、分岐信号線１５ａと端子箱１０の端子部との間もコネクタで接続するようにすると、作業性がよい。
【００１４】
２１（図２）は例えば合成樹脂からなる可撓管で、一端にはヘッダ５の接続口９に接続される継手２２が設けられており、他端には後述のスプリンクラヘッドが取付けられるエルボ２４に接続される継手２３が設けられている（図５（ａ）参照）。
【００１５】
２５は合成樹脂からなる可撓管２１ａと信号線とを一体に形成した信号線付き可撓管で、図５に示すように、外周に被覆された信号線１５ｂをインサートして、可撓管２１ａと、信号線１５ｂを内蔵する鞍部２６とを一体成形し、断面ほぼ達磨状に形成したものである。
そして、鞍部２６の両端部を可撓管２１ａから切り離して信号線１５ｂを露出させ、被覆部を剥離してそれぞれ接続端子である例えば自己鎖錠手段を有するコネクタ受け口２７ａ，２７ｂを取付ける。
【００１６】
２４（図２には２４ａ，２４ｂ，２４ｃで示してある）は例えばチャンネル等の天井下地材など（図示せず）に固定されたエルボで、一端には可撓管２１又は信号線付き可撓管２５の継手２３が接続される接続部が設けられており、他端にはスプリンクラヘッド３１が取付けられる接続部が設けられている。
３２は天井板４１等に取付けられた火災感知器、１５ｃは一端に接続端子であるコネクタ３３を有し、他端が火災感知器３２の本体又は図示しないベースに接続された火災感知器用の信号線である。
【００１７】
次に、上記のように構成した本発明に係る防災設備の施工手順の一例について説明する。なお、給水本管１及び給水管２は敷設されており、給水管２の分岐管３には端子部が内蔵された端子箱１０を有するヘッダ５が接続されているものとし、また、エルボ２４は所定の位置において天井下地材等に固定されているものとする。
【００１８】
先ず、給水本管１及び給水管２に沿って信号線１５を配設して結束バンド１７等により固定し、その一端を火災受信機１６に接続する。
次に、分岐信号線１５ａの一端を信号線１５に接続し、分岐管３及びヘッダ５上を這わせて他端を端子箱１０内の端子部にはんだ付け、ねじ止めその他の手段により接続する。
【００１９】
次に、近傍に火災感知器３２が存在しないエルボ（例えば、図２の２４ｂ，２４ｃ）の接続口に可撓管２１の継手２３をそれぞれ接続し、他方の継手２２をヘッダ５の接続口９にそれぞれ接続する。
また、火災感知器３２が取付けられる位置の比較的近傍に存在するエルボ（例えば、２４ａ）には、信号線付き可撓管２５の継手２３を接続し、他方の継手２２をヘッダ５の接続口９に接続する。そして、図６に示すように、信号線１５ｂのコネクタ受け口２７ａを端子箱１０に設けたコネクタ１１に接続する。
【００２０】
この状態で天井下地材に天井板４１が張られ、エルボ２４に対応して設けた開口部４２からスプリンクラヘッド３１を挿入して各エルボ２４の接続部に螺入し、その一部を天井板４１から屋内に露出させてスプリンクラヘッド３１の取付けを終る。
また、天井板４１の所定の位置に設けた取付穴４３に、信号線１５ｃが接続された火災感知器３２のベースを屋内側から装着して信号線１５ｃを天井裏に引上げ、そのコネクタ３３を信号線付き可撓管２５の信号線１５ｂに設けたコネクタ受け口２７ｂに接続する。そして、ベースに火災感知器３２を例えば刃金具、刃受金具を介して装着する。
これにより、防災設備のすべての配管、配線工事が終了する。
【００２１】
以上の説明から明らかなように、本発明によれば配管工事と同時に配線工事も行うことができるので、施工作業が単純化され、工期を短縮することができる。
【００２２】
上記の説明では、給水管２に１個のヘッダ５が取付けられている場合を示したが、実際の防災設備においては、各警戒区域においてそれぞれ複数のヘッダが設けられており、したがって、警戒区域の天井には多数のスプリンクラヘッドが設置され、また、警戒区域に見合った数の火災感知器が設けられている。
また、可撓管２１及び信号線付き可撓管２５の両端部に設けた継手２２，２３も図示のものに限定するものではなく、適宜構造のものを用いることができる。
【００２３】
さらに、信号線の接続端子として、端子箱１０内及び火災感知器用の信号線１５ｃにコネクタ１１，３３を、また、信号線付き可撓管２５の信号線１５ｂの両端部にコネクタ受け口２７ａ，２７ｂを設けた場合を示したが、これら接続端子はこれに限定するものではなく、適宜構造の接続端子を用いることができ、場合によっては、ねじ止め、はんだ付けなどによって接続してもよい。
【００２４】
【発明の効果】
本発明に係る防災設備は、給水管と、この給水管から分岐して設けられた可撓管と、可撓管の一端に接続されたスプリンクラヘッドとを備えた防災設備において、給水管と可撓管との間に複数の接続口を有するヘッダを設け、このヘッダに信号線が接続される端子部を設けて給水管又は可撓管に沿って信号線を配設したので、配管工事と配線工事を同時に行うことができ、これにより、工事に伴うトラブルを無くし、その上工期を短縮することができる。
【００２５】
また、上記の給水管に信号線を沿わせて配設し、この信号線の一端を火災受信機に接続し他端をヘッダの端子部に接続したので、配線作業が容易である。
【図面の簡単な説明】
【図１】本発明の一実施形態の模式図である。
【図２】図１の要部の斜視図である。
【図３】図２のヘッダの断面図及び正面図である。
【図４】ヘッダの他の例の断面図である。
【図５】図２の信号線付き可撓管の側面図及びそのＡ−Ａ断面図である。
【図６】ヘッダと信号線付き可撓管との接続状態を示す説明図である。
【符号の説明】
１  給水本管
２  給水管
５  ヘッダ
９  接続口
１０  端子箱
１１，２７ａ，２７ｂ，３３  接続端子
１５，１５ａ，１５ｂ，１５ｃ  信号線
１６  火災受信機
１７  結束バンド
２１  可撓管
２２，２３  継手
２４  エルボ
２５  信号線付き可撓管
３１  スプリンクラヘッド
３２  火災感知器
【図１】
0003608375.tif 000002
【図２】
0003608375.tif 000003
【図３】
0003608375.tif 000004
【図４】
0003608375.tif 000005
【図５】
0003608375.tif 000006
【図６】
0003608375.tif 000007